(57)【要約】【課題】揺れや振動を伴う場所でも、内容物を安定して保持可能な収納ボックスの提供。【解決手段】被取付体に固定される開口部（１ｅ）を有する外ケース（１）に摺動可能に設けられると共に収納物を収納可能な内ケース（２）と、内ケースと外ケースとの間に配置され内ケースを該開口方向に付勢する付勢手段（大バネ４）と、該付勢手段に抗して内ケースを外ケース内にロックするラッチ手段（ラッチ５）と、収納物を内ケース内で移動不可能に保持可能な保持体７とを有した収納ケースであって、外ケースに設けられたガイド体（１ｈ）のガイド溝（１ｉ）により内ケースに軸手段で取り付けられた保持体がガイドされることで保持体が回転し、保持体の腕部（７ｃ）が内ケースの内側に侵入して内容物を保持するので、内ケースよりも小さな内容物であっても安定して保持できる。【選択図】図４
2005212899.tif 000002
【特許請求の範囲】
【請求項１】
被取付体に固定される開口部を有する外ケースと、外ケースに摺動可能に設けられると共に収納物を収納可能な内ケースと、内ケースと外ケースとの間に配置され内ケースを該開口方向に付勢する付勢手段と、該付勢手段に抗して内ケースを外ケース内にロックするラッチ手段と、収納物を内ケース内で移動不可能に保持可能な保持体とを有した収納ケースであって、該保持体は内ケースの収納方向に沿った帯板状であり、先端に収納物を保持する腕部と、後端に内ケースの外ケースへの移動に伴って該腕部を収納物を保持する方向に移動する外ケースに設けられたガイド体にガイドされるガイド部を有し、該腕部とガイド部との間には内ケースに回転可能に軸支される軸部が設けられてあり、収納物を収納された内ケースが外ケースに入る際に、該腕部が内ケースの内側に侵入可能であるよう、内ケース側壁に少なくとも開口部を有することをすることを特徴とする収納ケース。
【請求項２】
ガイド体は外ケース内側に設けられた板状を呈しており、内ケースの摺動方向に向かって溝が設けられ、該溝にはガイド部であるガイド突起がトレースされると共に、該溝が少なくとも開口に向かって内方向に傾斜した部分を有することを特徴とした請求項１に記載の収納ケース。
【請求項３】
内ケースと外ケースのいずれか一方には付勢手段の付勢力を制動する回転ダンパーが他方には該ダンパーの歯車が噛合する直線状ギア部が設けられていることを特徴とした請求項１または２に記載の収納ケース。
【請求項４】
内ケースの開口部には収納物が収納されていない際に該開口を閉塞する蓋体が設けられていることを特徴とした請求項１から３のいずれかに記載の収納ケース。
【請求項５】
保持体の腕部は撓み可能な円弧状を呈していることを特徴とした請求項１から４のいずれかに記載の収納ケース。
【発明の詳細な説明】
【技術分野】
【０００１】  本発明はリモコン・キー・ユニットや携帯電話等を安定して収納保持する為のボックスに関するものである。
【背景技術】
【０００２】  自動車等の車内において、使用されていないカセット・テープやＣＤのケースが雑然に積み重なり、区別しにくくなる場合があるので、簡単に並べて収納できる容器や、カセット・テープやＣＤをケースに挿入された状態で収納する為に、特定の収納ボックスがあると便利である。
しかしながら、単純に開口を有する収納スペースのみではケースなどの内容物が取り出し難いだけではなく、ケースなどの収納物が落下する怖れがあり、ケースが車内に錯乱し、車内が雑然となる他、運転者の注意力が散漫し、危険を伴う可能性もある。
この問題に従い、ケース等の内容物を収納された状態で保持する技術が下記の文献にて開示されている。
【特許文献１】実開平８−１９２号
【特許文献２】実開平３−９３４９２号
【発明の開示】
【発明が解決しようとする課題】
【０００３】  前記特許文献１に記載の構成では、内容物を挿入する際、揺動部２３に設けられた曲折部２４が内容物の四角い形状に曲がり折ってあり、曲折部２４の突起が内容物の表面に当接することにより、内容物を底部２０と曲折部２４の間に挟持するように形成された為、収納ボックスの中でカセット・テープのような物を収納するように形成された装置である。ところが、リモコンのような内ケースより表面が突出する長細い物、つまり曲折部２４に掛からない内容物（特許文献１に記載された）や曲折部２４と底部２０とでしっかり挟持できない場合、自動車が急制動や急発進をすることにより、容物のぐらつきが発生し、収納ボックスから飛び出してしまう不具合が見込まれる。【０００４】  次に、前記特許文献１に記載されている収納ボックスの構成にあたり、上記に述べた理由で内容物の形状が異なる場合については、内容物の突出を防止する為の曲折部２４が揺動部２３と平行に止まる、つまり揺動部２３とより内ケースの内側に曲がり折らない為、上記に記載された内容物に対応できない不具合があると思われる。【０００５】  その上、付勢手段として内ケースを外ケース開口方向に付勢する板ばね１２が外ケースの奥壁に取り付けられてあり、該付勢力により内容物を収納する内ケースが移動され、突出する状態で止まるので、内容物の取り出しが容易となる。しかしながら、該付勢手段を制動する手段を有していない為、作動に高級感が損なわれている。【０００６】  また、前記特許文献１と特許文献２に記載されている収納ボックスの構成では、内容物を収納されていない状態で開口部が広く開いており、収納ボックスが使用されていない際にほこりやごみが収納ボックスの中に侵入しやすく、該収納ボックスの機構に弊害を及ぼす怖れがある。【０００７】  なおかつ、前記特許文献１に書いてある通り、内容物を入れる際、内ケースのヒンジ部２２により揺動部２３が曲がり折れた状態から回転し、スライド部２１と一直線状となり、収納物の端面を曲折部２４で保持する。ところが、曲折部が容物を端面でしっかり保持する為には、該内容物がカセット・テープやＣＤのような四角いものではないとガタつきの発生が見込まれる。
【課題を解決するための手段】
【０００８】  このような課題を解決する為に、本発明においては、請求項１に示す通り、外ケース内に内ケースが開口方向に付勢されており、特許３０７２９１１号等に代表されるラッチの解除により内容物が収納された内ケースが外ケース内に移動すると共に、外ケースに設けられたガイド体により内ケースに軸手段で取り付けられた保持体がガイドされることで、保持体が回転し、保持体の腕部が内ケースの内側に侵入し、内容物を保持するので、内ケースよりも小さな内容物であっても安定して保持できる。【０００９】  更に、請求項２に示される通り、本発明の外ケースの内側に板状のガイド体が取り付けられ、そして内容物を押える保持体がガイドされるガイド溝が該ガイド体に設けられてあり、該溝が少なくとも開口に向かって内方向に向かって傾斜になっているので、ガイド溝により保持体の動きに自由度が得られ、内ケースが外ケースに入るに従い、保持体の腕部が内側に侵入可能になり、ケース幅よりも狭い収納物か変化された形状を有する収納物も安定して保持できる。【００１０】  その上、請求項３に示す通り、本発明の内ケースと外ケースのいずれか一方には付勢手段を取り付けた上で、更に該付勢手段を特公平４−３４０１５号等に代表される回転ダンパーのような制動する手段で付勢力を抑えられ、内ケースが外ケースから解除される際回転ダンパーの歯車の直線状ギア部が噛合することで、内ケースがスムーズに突出され、該付勢力に伴う低級感を解消することができる。【００１１】  請求項４に示す通り、本発明の内ケースの開口部には付勢手段により開閉する、閉塞する方向に付勢された蓋体が取り付けられてあり、収納ボックスに内容物が収納されていない際には開口を完全に閉塞するので、ほこりやごみの侵入が防止できる。【００１２】  それに加え、該蓋が開口を閉塞する方向に付勢されているため、内容物は保持体で保持されるだけではなく、上方からも該蓋に保持されることになり、内容物を更に安定して保持する事ができる。【００１３】  その上、請求項５を参照すると、本発明の保持体の腕部は撓み可能であり、これによると内容物の大きさや形状による許容ができる。これによると、収納物が四角くても保持体の腕部が撓み可能な円弧状を有するので、内容物の形状変化に対応できる。
【発明の効果】
【００１４】  このように本発明によれば、収納物を収納する内ケースを挿通する保持体に設けられた撓み可能な腕部があり、ガイド体に傾斜して設けられた溝により該保持体が揺動する為、円形状と形状の異なる他、内ケースの幅より狭い内容物をしっかり保持できる効果が得られる。尚、本発明は揺れや振動を伴う場所、特に乗物内での使用に好適に用いられる。【００１５】  それに加え、内ケースが付勢手段により外ケースの開口部方向に付勢されており、該付勢手段を制動する手段が設けられている他、付勢手段により開口部を完全に閉塞する蓋が取り付けられている為、ほこりやごみの侵入を防止できると共に、より内容物の保持が可能となり、本収納ボックスの作動に高級感を持たせることができる。
【発明を実施するための最良の形態】
【００１６】  以下、本発明の実施の形態を、図面を参照しながら説明する。【００１７】  図１は、各部品を組み立てられていない状態で示す斜視図である。
この図面に示す通り、正面が開口されている（大開口１ｅ）外ケース１と内ケース２があり、該外ケース１の中で内ケース２が出入方向にスライドするように形成されている。この為、該内ケース２が真っ直ぐに出入方向に移動可能なように、該外ケース１の内側板１ａにレール１ｇが設けられてあり、内ケース２の側板２ａの外側にある突条２ｃを受け入れるように形成されてある。【００１８】  更に、外ケース１の該レール１ｇの立壁１ｊに，内ケース２に設けられたストライカー２ｉが係合する特許３０７２９１１号等に代表されるラッチ腕部５ａを有するラッチ手段であるラッチ５を支持する取付孔１ｋがあり、内ケース２が外ケース１内に移動すると、内ケース２全体が外ケース１内に収納された状態でロックされる。【００１９】  また、外ケース１の底板１ｂに特公平４−３４０１５号等に代表される回転ダンパー３を取り付ける為の大孔１ｃが設けられてあり、該回転ダンパー３はネジ３ｂによって大孔１ｃ内に固定される。それに加え、内ケース２を外ケース１の外方向に付勢する付勢手段である大バネ４の一方を掛止する小孔１ｄが外ケース１の該底板１ｂに設けられており、他方を掛止めする孔２ｆが内ケース２の底板２ｂに設けられている。尚、大バネ４はねじりコイルバネ形状を呈しているが、内ケースを外ケース外方向に付勢するものであればこれに限らずコイルスプリングや板バネ等も使用可能である。【００２０】  回転ダンパー３は図示しない歯車３ａを有し、内ケース２の底板２ｂの引き出し方向に亘って設けられた図示しないラック２ｅに噛合するように形成されており、大バネ４の付勢力による内ケース２の突出を制動する。【００２１】  上記の記載された外ケース１の側板１ａの内側に設けられたレール１ｇの上方に、内ケース２の摺動する方向に沿って、少なくとも内ケース２内方向に向かって傾斜する部分を有する溝１ｉを有するガイド体１ｈが設けられており、内ケース２の側板２ａ外側に立設された支持部２ｈの支持孔２ｈ（１）により回転可能に支持される保持体７の後端７ｂに設けられたガイド部７ｄが該溝１ｉにトレースされることで保持体を作動させる。【００２２】  保持体７は、屈曲を有する帯板状であって、中間部７ａと後端７ｂと腕部７ｃとに別けられている。図面上、内ケース２の側板２ａと平行に延びる中間部７ａの後端には該測板２ａに対し外方に略３０度屈曲して延出する後端７ｂがあり、前端には該中間部７ａの延出方向に対し、内側に向かって９０度屈曲し、更に前方に前方に９０度屈曲するＬ字状の腕部７ｃがそれぞれ一体に設けられている。更に、中間部７ａには後端７ｂとの屈曲部に内ケース２の支持部２ｈの支持孔２ｈ（１）に回転可能に軸支される軸部７ｅが上下に設けられると共に、後端７ｂの後端部上部には前記ガイド体１ｈ溝１ｉにトレースされるガイド部７ｄがそれぞれ設けられている。腕部７ｃのＬ字状の先端つまり、中間部７ａと略平行に延びる部分は、撓み可能で且つ、緩い円弧状を呈しており、更に内容物のすべりを防止する為に図示しない不職布等のすべり止めが貼付されている。【００２３】  更に、外ケース１に裏開口１ｆがあり、ほこりやごみ等の侵入を防止する為の裏板９が取り付けられてある。同様に、大開口１ｅの見栄えを向上する為に、正面枠８が固定されてある。更に、内ケース２には、大開口２ｇを閉塞する正面カバー６が設けられている。該正面カバー６は、内ケース２の孔２ｆで支持される軸６ａを有し、大開口１ｅを閉塞する方向に付勢させるバネ６ｂの付勢力により、収納された状態の内容物を上方からも保持されることになり、内容物を更に強く保持するように構成されている。【００２４】  図２は、本発明を組み立てられた状態で示す内容物の突出状態の平面図である。
正面枠８が前面に固定されており、内容物が略３分の１収納されてある。【００２５】  図３は、本発明を組み立てられた状態で示す内容物の突出状態の左側図であり、後記の断面図４から図７に示す通り、Ａ−Ａ線とＢ−Ｂ線が表されてある。【００２６】  図４は、前記の図３に示すＡ−Ａ線で切った内容物突出状態における断面図である。内容物が突出されている状態では、ラッチ５が解除され、保持体７の【００２７】  図５は、図３に示すＡ−Ａ線で切った内容物収納状態における断面図である。【００２８】  図６は、図３に示すＢ−Ｂ線で切った内容物突出状態における断面図である。【００２９】  図７は、前記の図３に示すＢ−Ｂ線で１切った内容物収納状態における断面図である。収納ボックスが内容物を収納している際に前記に記載された保持体７の中間部７ａが内ケース２の側板２ｂと略平行に保持される。収納された状態で、腕部７ｃは開口２ｇを挿通し内ケース２の内側に侵入して内容物を押えて保持する為、Ｌ字状を有して撓み可能になっている。該状態で、後端７ｂは中間部７ａと比べると略３０度内ケース２に対して外方に屈曲してある。更に、保持体７の中間部７ａが後端７ｂに連結する部分に、内ケース２の支持部２ｈの支持孔２ｈ（１）に支持される保持体７は上記に記載されたガイド部７ｄが溝１ｉにガイドされることで、内ケース２が外ケース１内に移動すると共に該軸部７ｅを中心に後端７ｂが内ケース外方に向かって略２０度回転し、さらに内ケース２が外ケース１から突出する方向へ移動すると共に、受け入れる内容物を解除する際には該軸部７ｅを中心に後端７ｂが内ケース内方に向かって略２０度回転し、元の位置に戻る。なお、実施例の溝１ｉの形状により、保持体の回転角度を略２０度と記載したが、溝の角度の設定により所定角度回転させることも可能である。また、大バネ４の付勢力が回転ダンパー３によって制動されることで内ケース２が外ケース１から滑らかに突出される。【００３０】  図８は、内容物１０が入っていない収納ボックスの斜視図であり、この図面に示す通り収納ボックスが組み立てられており、内ケース２を収納されている外ケース１の大開口１ｅには、正面枠８が固定されており、内ケース２に内容物が入っていない為大開口２ｇが正面カバー６より閉塞されている。【００３１】  図９は、内容物突出状態における斜視図である。内ケース２に内容物１０が入っている為、正面カバー６は開いた状態であり、図面上目視できない。【００３２】  図１０は、内容物収納状態における斜視図である。
【図面の簡単な説明】
【図１】各部品を示す斜視図である。
【図２】内容物の突出状態の収納ボックスの平面図である。
【図３】内容物の突出状態の収納ボックスの右側面図である。
【図４】図３に示すＡ−Ａ線に切った内容物突出状態における断面図である。
【図５】図３に示すＡ−Ａ線に切った内容物収納状態における断面図である。
【図６】図３に示すＢ−Ｂ線に切った内容物突出状態における断面図である。
【図７】図３に示すＢ−Ｂ線に切った内容物収納状態における断面図である。
【図８】内容物が入っていない収納ボックスの斜視図である。
【図９】内容物突出状態における斜視図である。
【図１０】内容物収納状態における斜視図である。
【符号の説明】
【００３３】１  外ケース
１ａ  側板
１ｂ  底板
１ｃ  大孔
１ｄ  小孔
１ｅ  大開口
１ｆ  裏開口
１ｇ  レール
１ｈ  ガイド体
１ｉ  溝
１ｊ  立壁
１ｋ  取付孔
２  内ケース
２ａ  側板
２ｂ  底板
２ｃ  突条
２ｄ  軸受
２ｅ  ラック
２ｆ  孔
２ｇ  開口
２ｈ  支持部
２ｈ（１）  支持孔
２ｉ  ストライカー
３  回転ダンパー
３ａ  歯車
３ｂ  ネジ
４  大バネ
５  ラッチ
５ａ  ラッチ腕部
６  正面カバー
６ａ  軸
６ｂ  バネ
７  保持体
７ａ  中間部
７ｂ  後端
７ｃ  腕部
７ｄ  ガイド部
７ｅ  軸部
８  正面枠
９  裏板
１０  内容物
【図１】
2005212899.tif 000003
【図２】
2005212899.tif 000004
【図３】
2005212899.tif 000005
【図４】
2005212899.tif 000006
【図５】
2005212899.tif 000007
【図６】
2005212899.tif 000008
【図７】
2005212899.tif 000009
【図８】
2005212899.tif 000010
【図９】
2005212899.tif 000011
【図１０】
2005212899.tif 000012